(57)【要約】【課題】デジタル放送とアナログ放送のサイマル放送とを対応付けることにより、アナログ放送同士の二画面表示やデジタル放送同士の二画面表示を行う際に、最小限のチューナで二画面表示することが可能な二画面表示装置及びその方法を提供する。【解決手段】デジタルチューナと、アナログチューナと、前回表示したチャンネルを記憶しておくラストＣＨ記憶部と、デジタルチューナ及びアナログチューナを制御する制御部と、二画面表示が可能な映像音声出力部を具備し、サイマル放送を利用して画面表示に使うチューナを切換える。【選択図】  図１
2004248140.tif 000002
【特許請求の範囲】
【請求項１】
サイマル放送を受信する二画面表示装置において、アナログ放送を受信する第１の受信手段と、デジタル放送を受信する第２の受信手段と、前記第１の受信手段からの放送信号及び前記第２の受信手段からの放送信号を二画面で出力する映像音声出力手段と、アナログ放送の番組データ及びデジタル放送の番組データを記憶する番組データ記憶手段と、前記番組データ記憶手段からの情報を基に、所定のチャンネルがサイマル放送チャンネルであるか否かを判断する番組対応判断手段と、前記第１の受信手段、第２の受信手段、映像音声出力手段及び番組対応判断手段を制御する制御手段とを備え、前記制御手段は、ユーザから二画面表示要求があった場合で、かつ現在視聴中のチャンネル及び当該チャンネルの１つ前に視聴していたチャンネルがともにアナログ放送チャンネルまたはデジタル放送チャンネルであった場合に、前記番組対応判断手段へ当該１つ前に視聴していたチャンネルを通知し、前記番組対応判断手段からの判断結果に基づいて、前記第１の受信手段及び第２の受信手段への選局命令を行うことを特徴とする二画面表示装置。
【請求項２】
前記番組対応判断手段は、所定のチャンネルがアナログ放送チャンネルであり、かつ当該チャンネルがサイマル放送チャンネルであると判断した場合は、前記制御手段に対し、前記アナログ放送チャンネルに対応するデジタル放送チャンネルを選局するよう指示することを特徴とする請求項１記載の二画面表示装置。
【請求項３】
前記番組対応判断手段は、所定のチャンネルがデジタル放送チャンネルであり、かつ当該チャンネルがサイマル放送チャンネルであると判断した場合は、前記制御手段に対し、前記デジタル放送チャンネルに対応するアナログ放送チャンネルを選局するよう指示することを特徴とする請求項１記載の二画面表示装置。
【請求項４】
ユーザからの二画面表示要求を受信した場合に、現在視聴中のチャンネル及び当該チャンネルの１つ前に視聴していたチャンネルがともにアナログ放送チャンネルまたはデジタル放送チャンネルであるか否かを判断する第１のステップと、前記第１のステップにおいて、現在視聴中のチャンネル及び当該チャンネルの１つ前に視聴していたチャンネルがともにアナログ放送チャンネルまたはデジタル放送チャンネルであると判断した場合に、当該１つ前に視聴していたチャンネルがサイマル放送チャンネルであるか否かを判断する第２のステップと、前記第２のステップにおいて、前記１つ前に視聴していたチャンネルがサイマル放送チャンネルであると判断した場合で、かつ当該チャンネルがアナログ放送チャンネルである場合は、対応するデジタル放送チャンネルを選局する第３のステップと、前記第２のステップにおいて、前記１つ前に視聴していたチャンネルがサイマル放送チャンネルであると判断した場合で、かつ当該チャンネルがデジタル放送チャンネルである場合は、対応するアナログ放送チャンネルを選局する第４のステップと、前記第３のステップまたは第４のステップにおいて選局されたチャンネルと、現在視聴中のチャンネルとを二画面表示する第５のステップとを備えることを特徴とする二画面表示方法。
【請求項５】
ユーザからの二画面表示要求を受信した場合に、現在視聴中のチャンネル及び当該チャンネルの１つ前に視聴していたチャンネルがともにアナログ放送チャンネルまたはデジタル放送チャンネルであるか否かを判断する第１のステップと、前記第１のステップにおいて、現在視聴中のチャンネル及び当該チャンネルの１つ前に視聴していたチャンネルがともにアナログ放送チャンネルまたはデジタル放送チャンネルであると判断した場合に、当該１つ前に視聴していたチャンネルがサイマル放送チャンネルであるか否かを判断する第２のステップと、前記第２のステップにおいて、前記１つ前に視聴していたチャンネルがサイマル放送チャンネルであると判断した場合で、かつ当該チャンネルがアナログ放送チャンネルである場合は、対応するデジタル放送チャンネルを選局する第３のステップと、前記第２のステップにおいて、前記１つ前に視聴していたチャンネルがサイマル放送チャンネルであると判断した場合で、かつ当該チャンネルがデジタル放送チャンネルである場合は、対応するアナログ放送チャンネルを選局する第４のステップと、前記第３のステップまたは第４のステップにおいて選局されたチャンネルと、現在視聴中のチャンネルとを二画面表示する第５のステップとを実行させるためのプログラムを記録したコンピュータ読み取り可能な記録媒体。
【請求項６】
ユーザからの二画面表示要求を受信した場合に、現在視聴中のチャンネル及び当該チャンネルの１つ前に視聴していたチャンネルがともにアナログ放送チャンネルまたはデジタル放送チャンネルであるか否かを判断する第１のステップと、前記第１のステップにおいて、現在視聴中のチャンネル及び当該チャンネルの１つ前に視聴していたチャンネルがともにアナログ放送チャンネルまたはデジタル放送チャンネルであると判断した場合に、当該１つ前に視聴していたチャンネルがサイマル放送チャンネルであるか否かを判断する第２のステップと、前記第２のステップにおいて、前記１つ前に視聴していたチャンネルがサイマル放送チャンネルであると判断した場合で、かつ当該チャンネルがアナログ放送チャンネルである場合は、対応するデジタル放送チャンネルを選局する第３のステップと、前記第２のステップにおいて、前記１つ前に視聴していたチャンネルがサイマル放送チャンネルであると判断した場合で、かつ当該チャンネルがデジタル放送チャンネルである場合は、対応するアナログ放送チャンネルを選局する第４のステップと、前記第３のステップまたは第４のステップにおいて選局されたチャンネルと、現在視聴中のチャンネルとを二画面表示する第５のステップとを実行させるためのプログラム。
【発明の詳細な説明】
【０００１】
【発明の属する技術分野】
本発明は、二画面表示装置及びその方法に関し、更に詳しくは、サイマル放送を利用することにより２つのチューナでアナログ放送同士の二画面表示またはデジタル放送同士の二画面表示を行うことが可能な二画面表示装置及びその方法に関する。
【０００２】
【従来の技術】
従来、１つのディスプレイに２つの放送番組を合成して表示する二画面表示装置が広く知られている。このような二画面表示装置では、分割された各画面にアナログ放送、デジタル放送を表示するために２つのチューナが必要である（例えば、特許文献１参照）。
【０００３】
図７に上記二画面表示装置における二画面表示の画面構成パターンを示す。７０１は異なるアナログ放送を左右に表示するので、アナログ放送用チューナが２つ必要となる。同様に、７０２、７０３ではアナログ放送とデジタル放送を同時に表示するために、アナログ放送用チューナ１つとデジタル放送用チューナ１つが必要となり、７０４を実現するためにはデジタル放送用チューナが２つ必要となる。
【０００４】
一方、現在、地上波のアナログ放送はデジタル放送へと移行しているが、移行期間中は、従来のアナログ放送の視聴者に影響を与えないように、デジタル放送ではアナログ放送とのサイマル放送が予定されている。ここで、サイマル放送とは、アナログ放送と同じ番組を同じ時間にデジタル放送で放送するものである。
【０００５】
【特許文献１】
特開平０５−３２８３１９号公報
【０００６】
【発明が解決しようとする課題】
上記のように、従来の二画面表示装置では、同じ放送形態で二画面表示を行うために少なくとも２つのチューナが必要となる。そのため、二画面表示装置において、アナログ放送の二画面表示及びデジタル放送の二画面表示の両方を行う場合は、アナログ放送用のチューナが２つと、デジタル放送用のチューナが２つの合計４つのチューナが必要となる。しかしながら、前述のように複数のチューナを用意すると、園分コストが高くなるという問題が発生する。
【０００７】
本発明は、上記事情に鑑みて成されたもので、デジタル放送とアナログ放送のサイマル放送とを対応付けることにより、アナログ放送同士の二画面表示やデジタル放送同士の二画面表示を行う際に、２つのチューナで二画面表示することが可能な二画面表示装置及びその方法を提供することを目的とする。
【０００８】
【課題を解決するための手段】
本発明の請求項１に係る二画面表示装置は、サイマル放送を受信する二画面表示装置において、アナログ放送を受信する第１の受信手段と、デジタル放送を受信する第２の受信手段と、第１の受信手段からの放送信号及び第２の受信手段からの放送信号を二画面で出力する映像音声出力手段と、アナログ放送の番組データ及びデジタル放送の番組データを記憶する番組データ記憶手段と、番組データ記憶手段からの情報を基に、所定のチャンネルがサイマル放送チャンネルであるか否かを判断する番組対応判断手段と、第１の受信手段、第２の受信手段、映像音声出力手段及び番組対応判断手段を制御する制御手段とを備え、制御手段は、ユーザから二画面表示要求があった場合で、かつ現在視聴中のチャンネル及び当該チャンネルの１つ前に視聴していたチャンネルがともにアナログ放送チャンネルまたはデジタル放送チャンネルであった場合に、番組対応判断手段へ当該１つ前に視聴していたチャンネルを通知し、番組対応判断手段からの判断結果に基づいて、第１の受信手段及び第２の受信手段への選局命令を行うことを特徴とする。
【０００９】
また、本発明の請求項２に係る二画面表示装置は、請求項１の構成に加えて、番組対応判断手段は、所定のチャンネルがアナログ放送チャンネルであり、かつ当該チャンネルがサイマル放送チャンネルであると判断した場合は、制御手段に対し、アナログ放送チャンネルに対応するデジタル放送チャンネルを選局するよう指示することを特徴とする。
【００１０】
また、本発明の請求項３に係る二画面表示装置は、請求項１の構成に加えて、番組対応判断手段は、所定のチャンネルがデジタル放送チャンネルであり、かつ当該チャンネルがサイマル放送チャンネルであると判断した場合は、制御手段に対し、デジタル放送チャンネルに対応するアナログ放送チャンネルを選局するよう指示することを特徴とする。
【００１１】
また、本発明の請求項４に係る二画面表示方法は、ユーザからの二画面表示要求を受信した場合に、現在視聴中のチャンネル及び当該チャンネルの１つ前に視聴していたチャンネルがともにアナログ放送チャンネルまたはデジタル放送チャンネルであるか否かを判断する第１のステップと、第１のステップにおいて、現在視聴中のチャンネル及び当該チャンネルの１つ前に視聴していたチャンネルがともにアナログ放送チャンネルまたはデジタル放送チャンネルであると判断した場合に、当該１つ前に視聴していたチャンネルがサイマル放送チャンネルであるか否かを判断する第２のステップと、第２のステップにおいて、１つ前に視聴していたチャンネルがサイマル放送チャンネルであると判断した場合で、かつ当該チャンネルがアナログ放送チャンネルである場合は、対応するデジタル放送チャンネルを選局する第３のステップと、第２のステップにおいて、１つ前に視聴していたチャンネルがサイマル放送チャンネルであると判断した場合で、かつ当該チャンネルがデジタル放送チャンネルである場合は、対応するアナログ放送チャンネルを選局する第４のステップと、第３のステップまたは第４のステップにおいて選局されたチャンネルと、現在視聴中のチャンネルとを二画面表示する第５のステップとを備えることを特徴とする。
【００１２】
また、本発明の請求項５に係る記録媒体は、請求項４の二画面表示方法を実施するコンピュータプログラムを記録するものであり、本発明の請求項６に係るプログラムは、そのコンピュータプログラムそのものに関するものである。
【００１３】
【発明の実施の形態】
（実施の形態１）
図１は実施の形態１における二画面表示装置の構成を示すブロック図である。
【００１４】
二画面表示装置は、アナログ放送用のアンテナ１０１と、アナログ放送用チューナ１０２と、デジタル放送用のアンテナ１０３と、デジタル放送用チューナ１０４と、映像音声出力部１０５と、制御部１０６と、入力部１０７と、番組対応判断部１０８と、番組データ記憶部１０９と、ラストＣＨ記憶部１１０から構成される。
【００１５】
アナログ放送用チューナ１０２は、制御部１０６からの選局命令を受け、アナログ放送用のアンテナ１０１を介してアナログ放送を受信し、所定の処理を施した後、映像信号及び音声信号を映像音声出力部１０５へ出力する。
【００１６】
デジタル放送用チューナ１０４は、制御部１０６からの選局命令を受け、デジタル放送用のアンテナ１０３を介してデジタル放送を受信し、所定の処理を施した後、映像信号及び音声信号を映像音声出力部１０５へ出力する。
【００１７】
映像音声出力部１０５は、アナログ放送用チューナ１０２からの映像信号及び音声信号、及び／またはデジタル放送用チューナ１０４からの映像信号及び音声信号を出力する。
【００１８】
制御部１０６は、予め現在視聴中のチャンネル番号を保持しており、アナログ放送用チューナ１０２、デジタル放送用チューナ１０４、映像音声出力部１０５、番組対応判断部１０８及びラストＣＨ記憶部１１０を制御する。制御部１０６の処理については、後ほど図２を用いて詳述する。
【００１９】
番組対応判断部１０８は、制御部１０６からの情報及び番組データ記憶部１０９からの番組対応表を基に、ラストチャンネルがサイマル放送中のチャンネルであるか否かを判断する。番組対応判断部１０８の処理については、後ほど図３を用いて詳述する。
【００２０】
番組データ記憶部１０９は、アナログ放送、デジタル放送の各々で、送出されている番組データを個別に記憶して管理する。なお、デジタル放送でアナログ放送の番組データも送出されている場合は、それを記憶してもよい。
【００２１】
ラストＣＨ記憶部１１０は、現在視聴中のチャンネルの１つ前に視聴していたチャンネル（ラストチャンネル）を記憶する。
【００２２】
ここで、本実施の形態において、第１の受信手段はアナログ放送用チューナ１０２に相当し、同様に、第２の受信手段はデジタル放送用チューナ１０４に、映像音声出力手段は映像音声出力部１０５に、番組データ記憶手段は番組データ記憶部１０９に、番組対応判断手段は番組対応判断部１０８に、制御手段は制御部１０６及びラストＣＨ記憶部１１０に相当する。
【００２３】
図２は、ユーザから二画面表示要求を受けた場合の制御部１０６の処理を示すフローチャートである。制御部１０６は、入力部１０７を介してユーザからの二画面表示要求を受信した場合（Ｓ２０１）、ラストＣＨ記憶部１１０から現在表示中のチャンネルの前に表示していたラストチャンネルを取得する（Ｓ２０２）。そして、現在視聴中のチャンネルとラストチャンネルが共にデジタル放送、もしくは共にアナログ放送であるか否かを判断する（Ｓ２０３）。
【００２４】
現在視聴中のチャンネルとラストチャンネルが共にアナログ放送またはデジタル放送でないと判断した場合は（Ｓ２０３でＮｏ）、左画面（主画面）を現在視聴チャンネル、右画面（副画面）をラストチャンネルとして二画面表示を行うよう、アナログ放送用チューナ１０２、デジタル放送用チューナ１０４及び映像音声出力部１０５を制御する（Ｓ２０４）。
【００２５】
一方、現在視聴中のチャンネルとラストチャンネルがデジタル放送同士、またはアナログ放送同士であると判断した場合は（Ｓ２０３でＹｅｓ）、番組対応判断部１０８においてラストチャンネルがサイマル放送中のチャンネルか否かの確認を行う（Ｓ２０５）。ラストチャンネルがサイマル放送中のチャンネルであれば（Ｓ２０５でＹｅｓ）、ラストチャンネルを対応するチャンネル（ラストチャンネルがアナログ放送ならば対応するデジタル放送へ、デジタル放送ならば対応するアナログ放送へ）へ切換えて二画面表示を行うよう、アナログ放送用チューナ１０２、デジタル放送用チューナ１０４及び映像音声出力部１０５を制御する（Ｓ２０７、Ｓ２０４）。
【００２６】
ラストチャンネルがサイマル放送中のチャンネルでなければ（Ｓ２０６でＮｏ）、二画面表示ができない旨を映像音声出力部１０５へ通知する（Ｓ２０８）。ここで、本実施の形態では、映像音声出力部１０５において二画面表示不可メッセージを画面表示するようにしているが、表示しなくてもよい。
【００２７】
図３は、番組対応判断部１０８がサイマル放送中か否かを判断する処理を示したフローチャートである。現在視聴中のチャンネルとラストチャンネルが共にアナログ放送として、図３の説明をする。まず、番組データ記憶部１０９に蓄積されているアナログ放送の番組データから、ラストチャンネルで現在放送中の番組名を取得する（Ｓ３０１）。次に、番組データ記憶部１０９に蓄積されているデジタル放送の番組データから、現在放送中の番組名一覧を取得する（Ｓ３０２）。ラストチャンネルであるアナログ放送の番組名と、現在放送中であるデジタル放送の番組名一覧を比較し、番組名が一致するか否かを確認する（Ｓ３０３）。
【００２８】
番組名が一致するものがない場合は（Ｓ３０３でＮｏ）、対応番組は存在しなかったと判断する（Ｓ３０４）。番組名が一致するものがある場合は（Ｓ３０４でＹｅｓ）、対応番組が存在する、つまりサイマル放送中であると判断する（Ｓ３０５）。
【００２９】
なお、番組対応判断部１０８は、デジタル放送の付加情報にアナログ放送とのチャンネルマップ情報が含まれていれば、それを利用して対応番組を特定することもできる。また、工場出荷時に予めデジタル放送のチャンネルとアナログ放送のチャンネルを対応づけたチャンネルマップ情報を持たせ、これに基づいて対応番組を判断してもよい。ただしこの場合は、対応づけられたチャンネル間でそのときサイマル放送を行っていない場合は、異なった番組を選択してしまう。また、各放送の信号波形を比較することで、同じ番組であると判断してもよい。
【００３０】
ここで、一画面から二画面に切換えた場合の画面表示を図４に示す。４０１は入力部１０７から二画面を指示する前の状態であり、アナログ放送を表示している状態である。ユーザが二画面表示を指示すると、現在視聴中のチャンネルを左画面、ラストチャンネルを右画面に表示する。ラストチャンネルがデジタル放送の場合は４０２のように表示される。ラストチャンネルがアナログ放送の場合は、現在視聴中のチャンネルですでにアナログ放送用チューナ１０２を使用中なので、そのままではラストチャンネルは表示できない。ラストチャンネルであるアナログ６チャンネルがサイマル放送中であり、デジタル放送６０６チャンネルが対応する放送である場合は、４０３のように右画面に６０６チャンネルを表示する。同様の状況で、ラストチャンネルがサイマル放送中でなければ、４０４のように二画面表示ができない旨のメッセージを表示する。
【００３１】
なお、本実施の形態では、ラストチャンネルがサイマル放送中ではなかった場合は、すぐに二画面表示不可メッセージを表示していたが、ラストチャンネルだけでなく現在視聴チャンネルもサイマル放送中か判断して、左画面側を対応するチャンネルへ切換えるようにしても同様の効果が得られる。
【００３２】
（実施の形態２）
図５を用いて、二画面表示状態の右画面を別のチャンネルに変更した場合について説明する。二画面表示装置の構成は、実施の形態１で示した図１のブロック図と同様であるため説明を省略する。
【００３３】
５０１の状態の右画面をデジタル放送３０１チャンネルへ切換えた場合は、５０２の状態となる。左画面はアナログ放送であるので、右画面がデジタル放送である限り通常の選局となんらかわりはない。５０１の状態から右画面をアナログ放送６チャンネルへ選局した場合は５０３のようになる。５０３の右画面はデジタル放送の６０６ＣＨとなっているが、これは６ＣＨがサイマル放送中であり、対応するデジタル放送チャンネルが６０６チャンネルだった場合である。選局した右画面のチャンネルがサイマル放送中ではなかった状態が、５０４である。対応するチャンネルが存在しない場合は選局できないので、その旨をメッセージとして表示する。
【００３４】
なお、右画面の対応チャンネルがない場合は、左画面の対応チャンネルを探し、対応チャンネルへ切換えることで、二画面を実現してもよい。
【００３５】
（実施の形態３）
サイマル放送を利用した二画面表示中に、サイマル放送がなくなった場合について、図６を用いて説明する。なお、二画面表示装置の構成は、実施の形態１で示した図１のブロック図と同様であるため説明を省略する。
【００３６】
６０１は左画面がアナログ放送の４チャンネル、右画面がアナログ放送の６チャンネルを選局し、対応するデジタル放送の６０６チャンネルが表示されている状態である。この状態で６チャンネルと６０６チャンネルのサイマル放送が終了した場合、６０２のように継続して右画面にはデジタル放送の６０６チャンネルを表示し続ける。または、６０３のように６０６チャンネルを表示し続けるが、６チャンネルとのサイマル放送が終了した旨を表示するようにしてもよいし、６０４のように一画面に戻すようにしてもよい。
【００３７】
なお、６０４においてメッセージを表示しているが、表示しなくてもよい。また前記場合も、実施の形態１、実施の形態２で記述したように、左画面がサイマル放送中かどうかを確認して、サイマル放送中ならば左画面を対応するチャンネルに切換えて、右画面はそのまま選局するようにしてもよい。
【００３８】
また、実施の形態１、実施の形態２及び実施の形態３は、コンピュータプログラムによってそれぞれの手段を制御することにより実現されているが、このコンピュータプログラムをフロッピー（Ｒ）ディスク等の記録媒体に記録しておくことによって、独立した他の二画面表示装置においても実施することができる。
【００３９】
また、実施の形態１、実施の形態２及び実施の形態３は、二画面表示を行う表示装置について説明しているが、複数画面表示を行う表示装置においても同様の効果を得ることができる。
【００４０】
【発明の効果】
以上のように本発明の二画面表示装置及びその方法によれば、デジタル放送とアナログ放送のサイマル放送とを対応付けることにより同一内容の番組へ自動的に切換えて表示することが可能となり、複数画面の表示に必要なチューナの数を減らすことができる。
【図面の簡単な説明】
【図１】本発明の実施の形態１から実施の形態３における二画面表示装置の構成を示すブロック図
【図２】本発明の実施の形態１における二画面表示装置の制御部の処理を示すフローチャート
【図３】本発明の実施の形態１における二画面表示装置の番組対応判断部の処理を示すフローチャート
【図４】本発明の実施形態の１における一画面から二画面への遷移図
【図５】本発明の実施の形態２における二画面中の選局動作の遷移図
【図６】本発明の実施の形態３における二画面表示中にサイマル放送が終了した場合の遷移図
【図７】従来の二画面表示装置の画面構成のパターン図
【符号の説明】
１０１  アナログ放送用のアンテナ
１０２  アナログ放送用チューナ
１０３  デジタル放送用のアンテナ
１０４  デジタル放送用チューナ
１０５  映像音声出力部
１０６  制御部
１０７  入力部
１０８  番組対応判断部
１０９  番組データ記憶部
１１０  ラストＣＨ記憶部
【図１】
2004248140.tif 000003
【図２】
2004248140.tif 000004
【図３】
2004248140.tif 000005
【図４】
2004248140.tif 000006
【図５】
2004248140.tif 000007
【図６】
2004248140.tif 000008
【図７】
2004248140.tif 000009